(57)【特許請求の範囲】
【請求項１】
直方体状の紙パックを連結して玩具を製作するためのジョイントであって、相対して配置される一対のベースプレートと、これらベースプレートを互いに回動する回動部と、前記ベースプレートに設けられ、前記ベースプレートの前記紙パックの断面に対応する正方形の平面を、４つの正方形に分割した分割領域と、これらの分割領域の縁辺に沿って設けられ前記紙パックの断面の縁を挟持する挟持片対と、を有することを特徴とする紙パック連結ジョイント。
【請求項２】
前記回動部は、２軸周りの回動をするために、一方のベースプレートの相対する二辺に垂設される垂設面と、この垂設面を受けるため他方のベースプレートに設けられる受面と、前記垂設面と前記受面を軸支し１８０度回動する第１回動軸と、前記一方のベースプレートと前記垂設面との間、あるいは、前記他方のベースプレートと前記受面との間を、軸支して３６０度回動する第２回動軸と、を有することを特徴とする請求項１に記載の紙パック連結ジョイント。
【発明の詳細な説明】
【技術分野】
【０００１】
この発明は、使用済みの直方体状の紙パックなどを連結して玩具を製作するためのジョイントの構造に関する。
【背景技術】
【０００２】
牛乳やジュースが入った１リットルあるいは５００ｃｃなどの紙パックは、使用済みになると、廃棄されてしまう。
これらの紙パックは直方体状で、複数を連結すると、ある程度の強度があり、これを利用して、図３に示すように紙パック１０１を連結して人形１０３や動物などの玩具を製作すると、大型の玩具が安価で製作できる。
【０００３】
また、例えば下記の非特許文献１（インターネットのホームページ）には、２軸のひじ関節などを有するロボット玩具が記載される。
【非特許文献１】http://www.aist.go.jp/aist_j/press_release/pr2006/pr20060526/pr20060526.html
【発明の開示】
【発明が解決しようとする課題】
【０００４】
しかしながら、紙パックを連結して製作した玩具は、動く関節などを製作しにくい。このため、通常は静的な玩具しか製作できず、よって面白みに欠け、紙パック玩具の広がりを妨げている。
また、前記非特許文献１は、既に工場で生産された玩具であり、その関節を紙パック玩具に採用することは非現実的である。
この発明は、以上の問題点を解決するために、紙パックを連結して製作した玩具が、動く関節など有し、動く形態での製作を現実的に容易にし、紙パック玩具の広がりを促進できる紙パック連結ジョイントを提供することを目的とする。
【課題を解決するための手段】
【０００５】
以上の課題を解決するために、第一発明は、直方体状の紙パックを連結して玩具を製作するためのジョイントであって、相対して配置される一対のベースプレートと、これらベースプレートを互いに回動する回動部と、前記ベースプレートに設けられ、前記ベースプレートの前記紙パックの断面に対応する正方形の平面を、４つの正方形に分割した分割領域と、これらの分割領域の縁辺に沿って設けられ前記紙パックの断面の縁を挟持する挟持片対と、を有することを特徴とする紙パック連結ジョイントである。
【０００６】
第二発明は、さらに、前記回動部は、２軸周りの回動をするために、一方のベースプレートの相対する二辺に垂設される垂設面と、この垂設面を受けるため他方のベースプレートに設けられる受面と、前記垂設面と前記受面を軸支し１８０度回動する第１回動軸と、前記一方のベースプレートと前記垂設面との間、あるいは、前記他方のベースプレートと前記受面との間を、軸支して３６０度回動する第２回動軸と、を有することを特徴とする紙パック連結ジョイントである。
【発明の効果】
【０００７】
第一、又は第二発明によれば、一対のベースプレートのそれぞれに、１つ、２つ、３つ、あるいは４つの、切断した紙パックを挟持させることで、関節などのように動く部分を有する形態で玩具の製作を現実的に容易にできる。
すなわち、１つの切断した紙パックを選んだ場合には、４つの正方形に分割した分割領域の全外周で、挟持片に挟持させる。２つの切断した紙パックを選んだ場合には、各紙パックは、４つの正方形に分割した分割領域のうち任意の２つの隣り合う分割領域の外周で、挟持片に挟持させる。３つの切断した紙パックを選んだ場合には、各紙パックは、４つの正方形に分割した分割領域のうち任意の１つの分割領域の外周で、挟持片に挟持させる。４つの切断した紙パックを選んだ場合には、各紙パックは、４つの正方形に分割した分割領域のうち任意の１つの分割領域の外周で、挟持片に挟持させる。
【０００８】
このように、ベースプレートのそれぞれに、１つ、２つ、３つ、あるいは４つの、切断した紙パックを挟持させることができるので、同じ紙パック連結ジョイントで、色々に大きさの異なる関節などのように動く部分を、製作をできる。よって、人形、ロボット、動物、恐竜の骨格など、多数の動く大型の玩具を製作できる。
【０００９】
よって、動く面白い玩具を容易に製作でき、紙パック玩具の広がりを促進できる。
第二発明によれば、さらに、シンプルな回動部の構造で、２軸周りの回動を可能にできる。
【発明を実施するための最良の形態】
【００１０】
この発明の実施形態を、図１、及び図２に示す。
この実施形態は、図１に示すように、１リットルあるいは５００ｃｃの直方体状の紙パック１を連結して人形３の関節を製作するためのジョイント５である。図１（Ａ）に示すように、人形３の首の関節、肩関節、ひじ関節、腰の関節、股関節、ひざ関節、足首の関節に、このジョイント５が採用される。
【００１１】
図１（Ｂ）（Ｃ）（Ｄ）に示すように、このジョイント５は、相対して配置される一対のベースプレート７を有し、これらベースプレート７が、回動部９により、互いに２軸周りの回動をする。
図１（Ｄ）に示すように、各ベースプレート７は、紙パック１の正方形の断面に対応し、ほぼ同じ正方形の平面を有する。このベースプレート７の正方形の平面は、４つの分割領域１１に分割される。各分割領域１１は小さな正方形を有する。各分割領域１１の縁辺に沿って、一対の挟持片１３が設けられる。一対の挟持片１３は、互いに弾性的に接しているか、紙パック１の紙の厚さ分よりやや狭い隙間を介して弾性的に隣接する。これにより、紙パック１の断面の縁が挿入されることで、容易に挟持する。
【００１２】
また、一対の挟持片１３のうち、内側の挟持片１３Ａは、外側の挟持片１３Ｂよりも背が高く、これにより紙パック１の断面の縁が挿入時に、位置決めされ易い。
さらに、一対の挟持片１３が接する部位で、挟持片１３Ａ，１３Ｂの内側には、爪１５が形成され、紙パック１の断面の縁１Ａを強固に挟持できる。
図１（Ｂ）（Ｃ）に示すように、回動部９は、一対のベースプレート７を２軸周りの回動をする構造を有する。すなわち、一方のベースプレート７Ａには、断面が横向きのコの字状を有する回動プレート１７が配置される。この回動プレート１７には、コの字状の両辺に相当する一対の垂設面１９が設けられる。これらの垂設面１９は、Ｕ字状プレートである。そして、一対のベースプレート７が回動しておらず正しく対向している状態（図１（Ｃ）参照）で、一方のベースプレート７Ａの相対する二辺に対し垂設された状態となる。
【００１３】
この垂設面１９を受けるため他方のベースプレート７Ｂに受面２１が設けられる。この受面２１は、他方のベースプレート７Ｂに設けられるＵ字状断面を有する受部２３の両端面を構成する。
そして、  図１（Ｃ）に示すように、垂設面１９と受面２１を第１回動軸２５が軸支して１８０度回動（図中の矢印２７）可能とする。さらに、一方のベースプレート７Ａと、垂設面１９を有する回動プレート１７との間を、図示しない第２回動軸が軸支して３６０度回動（図中の矢印２９）可能とする。また、この実施形態では、さらに、他方のベースプレート７Ｂと、受部２３との間をも、図示しないもう１つの第２回動軸が軸支して３６０度回動（図中の矢印２９）可能とする。
【００１４】
「実施形態の効果」
この実施形態によれば、一対のベースプレート７のそれぞれに、１つ、２つ、３つ、あるいは４つの、切断した紙パック１を、数を任意に選んで挟持させることができる。
すなわち、図２（Ａ）に示すように、１つの切断した紙パック１を選んだ場合には、４つの正方形に分割した分割領域１１の全外周で、挟持片１３に挟持させる。この場合に使用される挟持片１３の対は、８対である。
図２（Ｂ）に示すように、２つの切断した紙パック１を選んだ場合には、各紙パック１は、４つの正方形に分割した分割領域１１のうち任意の２つの隣り合う分割領域１１の外周で、挟持片１３に挟持させる。この場合に使用される挟持片１３の対は、１つの紙パック１に４対である。
【００１５】
図示しないものの、３つの切断した紙パック１を選んだ場合には、各紙パック１は、４つの正方形に分割した分割領域１１のうち任意の１つの分割領域１１の外周で、挟持片１３に挟持させる。この場合に使用される挟持片１３の対は、１つの紙パック１に２対である。
【００１６】
図２（Ｃ）に示すように、４つの切断した紙パック１を選んだ場合には、各紙パック１は、４つの正方形に分割した分割領域１１のうち任意の１つの分割領域１１の外周で、挟持片１３に挟持させる。この場合に使用される挟持片１３の対は、１つの紙パック１に２対である。
【００１７】
このように、ベースプレート７のそれぞれに、１つ、２つ、３つ、あるいは４つの、切断した紙パック１を挟持させることができるので、同じ１種類の紙パック連結ジョイントで、色々に大きさの異なる関節などのように動く部分を、製作をできる。よって、人形３、ロボット、動物、恐竜の骨格など、大きさの異なる多くの関節を有する、多数の動く大型の玩具を製作できる。
【００１８】
よって、同じ１種類の紙パック連結ジョイントで、動く面白い玩具を容易に製作でき、紙パック玩具の広がりを促進できる。
【００１９】
「他の実施形態」
以上の実施形態では、第２回動軸は、一方のベースプレート７と垂設面１９との間を軸支するものであったが、他の実施形態では、他方のベースプレート７と受面２１との間を軸支するものであってもよい。
【００２０】
以上の実施形態では、回動部９は、２軸周りの回動をするものであったが、他の実施形態では、ボールジョイントのように自在に回動するものでも良い。
【図面の簡単な説明】
【００２１】
【図１】この発明の一実施形態を示すもので、（Ａ）はこの実施形態のジョイントを用いて製作した人形の斜視図、（Ｂ）は（Ａ）に用いるこの実施形態のジョイントを示す斜視図、（Ｃ）は（Ｂ）の機能を示す斜視図、（Ｄ）は（Ｂ）の紙パックを挟持する部分を示す斜視図である。
【図２】図１のジョイントが挟持する紙パックの数が異なる場合を示す説明図で、（Ａ）は紙パックが１つの場合を説明する図、（Ｂ）は紙パックが２つの場合を説明する図、（Ｃ）は紙パックが４つの場合を説明する図である。
【図３】従来例を示す斜視図である。
【符号の説明】
【００２２】
１…紙パック、３…人形、５…ジョイント、７…ベースプレート、９…回動部、１１…分割領域、１３…挟持片、１５…爪、１７…回動プレート、１９…垂設面、２１…受面、２３…受部、２５…第１回動軸、１０１…紙パック、１０３…人形。
【図１】
0004947714.tif 000002
【図２】
0004947714.tif 000003
【図３】
0004947714.tif 000004